(57)【要約】自動分析装置における誤操作のリスクを低減し、利便性の向上を図る。検体を収容する検体容器に対し、特定の測定種類の分析を行う自動分析装置の表示装置の検査モード作成画面３０１で、入力装置からの入力した、生化学検査項目３０３、免疫学検査項目３０４、ＩＳＥ検査項目３０４、血液凝固検査項目３０６等の測定種類の情報を組み合わせ、任意の設定情報である検査モード名３０２に紐付けて記憶部のテーブルに記憶して置き、記憶された検査モード名３０２に紐付けされた測定種類の情報に基づき、表示装置に表示して変更設定可能とする情報を制限する。
2019021625.tif 000002
【特許請求の範囲】
【請求項１】
複数の測定種類の分析項目を分析可能な自動分析装置であって、
検体を収容する検体容器を保持するサンプルディスクと、前記検体容器から試料を分注する試料分注機構と、試薬を収容する試薬容器を保持する試薬ディスクと、前記試薬容器から試薬を分注する試薬分注機構と、前記測定種類の分析を行う測定ユニットと、前記測定ユニットを制御する制御部と、前記測定ユニットの測定種類の情報を入力する入力装置と、前記測定種類の情報を保持する記憶部と、前記測定種類の情報を表示する表示装置を備え、
前記入力装置からの入力された前記測定種類の情報を組み合わせ、任意の設定情報に紐付けした情報を保持する記憶部と、
前記紐付けした情報に基づき、前記測定種類の情報を表示および操作可能にする表示装置と、を備える、
ことを特徴とする自動分析装置。
【請求項２】
請求項１に記載の自動分析装置であって、
前記記憶部は、前記紐付けした情報を蓄積するテーブルを備える、
ことを特徴とする自動分析装置。
【請求項３】
請求項２に記載の自動分析装置であって、
前記テーブルは、前記設定情報に紐付けした情報として、前記測定種類に対する操作のレベルを示す情報を記憶する、
ことを特徴とする自動分析装置。
【請求項４】
請求項１に記載の自動分析装置であって、
前記入力装置からの入力された測定種類の情報を組み合わせ、任意の設定情報に紐付けした情報を前記記憶部に保持し、
前記表示装置は前記紐付けした情報に基づき、前記測定種類の情報を表示および操作可能にし、且つ前記紐付けした情報をユーザごとに選定可能とする、
ことを特徴とする自動分析装置。
【請求項５】
請求項４に記載の自動分析装置であって、
前記入力装置からの入力された測定種類の情報を組み合わせ、任意の設定情報に紐付けした情報を前記記憶部に保持し、
前記表示装置は前記紐付けした情報に基づき、前記測定種類の情報を表示および操作可能にし、紐付けされなかった情報は操作不可であることを明示する、
ことを特徴とする自動分析装置。
【請求項６】
請求項５に記載の自動分析装置であって、
前記入力装置からの入力された測定種類の情報を組み合わせ、任意の設定情報に紐付けした情報を前記記憶部に保持し、
前記表示装置は前記紐付けした情報に基づき、前記測定種類の情報を表示および操作可能にし、紐付けされなかった情報は非表示にする、
ことを特徴とする自動分析装置。
【請求項７】
請求項６に記載の自動分析装置であって、
前記入力装置からの入力された測定種類の情報を組み合わせ、任意の設定情報に紐付けした情報を前記記憶部に保持し、
前記表示装置は前記紐付け情報に基づき、前記測定種類の情報を測定種類毎に色彩を変更して表示および操作可能にする、
ことを特徴とする自動分析装置。
【請求項８】
請求項７に記載の自動分析装置であって、
前記入力装置からの入力された測定種類と分析項目の情報を組み合わせ、前記設定情報に紐付けした情報を前記記憶部に保持し、
前記表示装置は前記紐付けした情報に基づき、前記分析項目の情報を表示および操作可能にする、
ことを特徴とする自動分析装置。
【請求項９】
請求項８に記載の自動分析装置であって、
前記入力装置からの入力された測定種類および分析項目と、前記自動分析装置の共通機能を組み合わせ、前記設定情報に紐付けした情報を前記記憶部に保持し、前記表示装置は前記紐付けした情報に基づき、前記共通機能に関する情報を表示および操作可能する、
ことを特徴とする自動分析装置。
【請求項１０】
請求項９に記載の自動分析装置であって、
前記入力装置からの入力された測定種類と分析項目の情報を組み合わせ、前記設定情報に紐付けした情報を前記記憶部に保持し、
前記表示装置は前記紐付けした情報に関する情報を表示および操作可能にし、
前記制御部は前記紐付けした情報を基に前記測定ユニットを制御する、
ことを特徴とする自動分析装置。
【発明の詳細な説明】
【技術分野】
【０００１】
本発明は、血液等の成分を自動的に分析する自動分析装置の表示技術に関する。
【背景技術】
【０００２】
血液等の生体サンプルに含まれる目的成分を分析する装置として、サンプルと試薬とが混合した反応液に、光源からの光を照射して得られる単一または複数の波長の透過光や散乱光の光量を測定する自動分析装置が広く用いられている。【０００３】
このような自動分析装置には、生化学検査および免疫学検査の分野で生体サンプル中の目的成分の定量、定性分析を行う生化学分析装置や免疫学分析装置、サンプルである血液の凝固能を測定する血液凝固分析用の装置等がある。【０００４】
近年自動分析装置の普及、発展により単一の測定種類の項目を測定可能な測定モジュールを複数連結した複数モジュール型自動分析装置や、複数測定種類の項目を1台の装置で測定可能な複合型自動分析装置が流通している。これらの分析装置は測定種類ごとに決められた分析パラメータや測定ユニットごとに装置情報を有している。これらの情報は装置内の記憶部に格納されているが、一部情報はユーザに提供するため、ディスプレイなどの表示装置に表示される。通常、これら複数モジュール型自動分析装置や複合型自動分析装置は、ユーザとのインターフェースとなる表示装置は１つである。つまり複数の測定種類に関する情報が１つの表示装置に混在して表示されている。このような状況では本来操作すべきではないパラメータを誤操作する、あるいは特定の情報を見つけるのに時間がかかるなど、ユーザに利便性に問題がある。【０００５】
自動分析装置の任意のデータにアクセスする方法として、特許文献１のように、ログインするユーザレベルに応じて許可レベルを設け、特定の操作者に対して許可された機能に対応するボタンはアクセス可能を示す色で表示し、許可されない機能に対応するボタンはアクセス不可を示す色で表示することにより、分析装置の使用を制限する方法がある。
【先行技術文献】
【特許文献】
【０００６】
【特許文献１】特開２００６−２７６０４０号公報
【発明の概要】
【発明が解決しようとする課題】
【０００７】
上述した複数測定種類の分析項目を1台の装置で測定可能な複合型自動分析装置、あるいは単一の測定種類の分析項目を測定可能な測定ユニットが複数連結した複数モジュール型自動分析装置では、その内部に各項目を測定するユニットに関する装置情報、各項目固有の分析パラメータおよび分析結果などを有する。これらの情報は通常共通の表示装置に全測定種類の情報が混在して表示される。また複合型自動分析装置や複数モジュール型自動分析装置では、複数の測定種類の分析項目を測定可能であるため、多分野のユーザが使用する。【０００８】
このように複合型自動分析装置、複数モジュール型自動分析装置には多くの情報が混在しており、それらの情報が共通の表示装置に表示されているにも関わらず、複数の専門分野のユーザが使用する状況にある。この結果、本来変更すべきではない情報を変更する、または本来実施すべきではない操作を実施するなど誤操作のリスクが発生し、利便性の観点に問題がある。先行技術文献の方法ではユーザレベルごとに操作権限を付与しているが、測定種類ごとの情報の選定については開示されていない。【０００９】
本発明の目的は、上記の課題を解決し、情報の誤読のリスクを低減し、利便性を向上することのできる自動分析装置を提供することにある。
【課題を解決するための手段】
【００１０】
上記の目的を解決するため、本発明においては、複数の測定種類の分析項目を分析可能な自動分析装置であって、検体を収容する検体容器を保持するサンプルディスクと、検体容器から試料を分注する試料分注機構と、試薬を収容する試薬容器を保持する試薬ディスクと、試薬容器から試薬を分注する試薬分注機構と、測定種類の分析を行う測定ユニットと、測定ユニットを制御する制御部と、測定ユニットの測定種類の情報を入力する入力装置と、入力装置からの入力された測定種類の情報を組み合わせ、任意の設定情報に紐付けした情報を保持する記憶部と、紐付けした情報に基づき、測定種類の情報を表示および操作可能にする表示装置と、を備える構成の自動分析装置を提供する。
【発明の効果】
【００１１】
本発明の自動分析装置により、情報の誤読のリスクを低減し、ユーザの利便性を向上することができる。
【図面の簡単な説明】
【００１２】
【図１】各実施例に係る自動分析装置の基本構成を示す図である。
【図２】実施例１に係る検査モード名と各検査項目を紐付けするテーブルの一例を示す図である。
【図３】実施例１に係る自動分析装置の検査モード作成画面を示す図である。
【図４】実施例１に係る自動分析装置の検査モード選択画面を示す図である。
【図５Ａ】実施例１に係る自動分析装置の分析項目選択画面を示す図である。
【図５Ｂ】実施例１に係る自動分析装置の試薬管理画面を示す図である。
【図６Ａ】実施例２に係る自動分析装置の分析項目選択画面を示す図ある。
【図６Ｂ】実施例２に係る自動分析装置の試薬管理画面を示す図である。
【図７Ａ】実施例３に係る自動分析装置の分析項目選択画面を示す図ある。
【図７Ｂ】実施例３に係る自動分析装置の試薬管理画面を示す図である。
【図８Ａ】実施例４に係る自動分析装置の検査モード詳細設定画面を示す図である。
【図８Ｂ】実施例４に係る自動分析装置の分析項目設定画面を示す図である。
【図９】実施例５に係る自動分析装置の検査モード作成画面を示す図である。
【図１０】実施例５に係る検査モード名と検査詳細項目を紐付けするテーブルの一例を示す図である。
【発明を実施するための形態】
【００１３】
以下、本発明を実施するための形態を図面に従い説明する。最初に図１を用いて、各実施例で共通して使用する自動分析装置の基本構成例を説明する。ここでは、自動分析装置の一実施態様として、ターンテーブル方式の生化学/免疫分析部、ＩＳＥ(Ion Selective Electrode)測定ユニット３と、血液凝固時間分析ユニットとを備えた複合型の自動分析装置の例について説明する。
【００１４】
図１に示すように、自動分析装置１は、その筐体上に反応ディスク１３、サンプルディスク１１、第１試薬ディスク１５、第２試薬ディスク１６、血液凝固時間分析ユニット２、光度計１９が配置されている。
【００１５】
反応ディスク１３は、時計回り、反時計回りに回転自在なディスク状のユニットであって、生化学/免疫学分析用の反応容器２６をその円周上に複数個配置することができる。
【００１６】
サンプルディスク１１は、時計回り、反時計回りに回転自在なディスク状のユニットであって、標準サンプルや被検サンプル等のサンプルを収容するサンプル容器２７をその円周上に複数個配置することができる。
【００１７】
第１試薬ディスク１５、第２試薬ディスク１６は、時計回り、反時計回りに回転自在なディスク状のユニットであって、サンプルに含まれる各検査項目の成分と反応する成分を含有する試薬を収容する試薬容器をその円周上に複数後配置できる。また、本図には示していないが、第１試薬ディスク１５、第２試薬ディスク１６では、保冷機構等を備えることにより、配置された試薬容器内の試薬を保冷可能に構成することもできる。
【００１８】
サンプルディスク１１と反応ディスク１３の間にはサンプル分注プローブ１２が配置されており、サンプル分注プローブ１２の回転動作によってサンプルディスク１１上のサンプル容器２７、反応ディスク１３上の反応容器２６、ＩＳＥ測定ユニット３、及び血液凝固時間分析ユニット２のサンプル分注ポジション１８における血液凝固分析用の反応容器２８において、サンプルの吸引および分注動作が可能なように配置されている。
【００１９】
同様に、第１試薬ディスク１５と反応ディスク１３の間には第１試薬分注プローブ１７が、第２試薬ディスク１６と反応ディスク１３の間には第２試薬分注プローブ１４が配置されており、それぞれ回転動作により反応ディスク１３上の反応容器２６と第１試薬ディスク１５、第２試薬ディスク１６上の試薬容器内の吸引、吐出といった分注動作が可能なように配置されている。
【００２０】
ＩＳＥ測定ユニット３はＩＳＥ分析に必要な機構、設備が配置されている。ＩＳＥユニット２９はＩＳＥユニット制御部２０８により制御されている。
【００２１】
血液凝固時間分析ユニット２は、主として、血液凝固時間検出部２１、血液凝固試薬分注プローブ２０、使い捨て反応容器マガジン２５、サンプル分注ポジション１８、反応容器移送機構２３、反応容器廃棄口２４、光学ジグマガジン２２から構成される。
【００２２】
次に、自動分析装置１に係る制御系、及び信号処理系について簡単に説明する。コンピュータ１０５はインターフェース１０１を介して、サンプル分注制御部２０１、試薬分注制御部(１)２０６、試薬分注制御部(１)２０７、血液凝固試薬分注制御部２０４、Ａ/Ｄ変換器(１)２０５、Ａ/Ｄ変換器(２)２０３、移送機構制御部２０２に接続されており、各制御部に対して指令となる信号を送信する。
【００２３】
サンプル分注制御部２０１は、コンピュータ１０５から受けた指令に基づいて、サンプル分注プローブ１２によるサンプルの分注動作を制御する。
【００２４】
また、試薬分注制御部(１)２０６および試薬分注制御部(２)２０７は、コンピュータ１０５から受けた指令に基づいて、第１試薬分注プローブ１７、第２試薬分注プローブ１４による、試薬の分注動作を制御する。
【００２５】
また、移送機構制御部２０２は、コンピュータ１０５から受けた指令に基づいて、反応容器移送機構２３による、反応容器マガジン２５、サンプル分注ポジション１８、血液凝固時間検出部２１の反応ポート２０９、反応容器廃棄口２４の間における使い捨ての血液凝固分析用の反応容器２８の移送動作を制御する。
【００２６】
また、血液凝固試薬分注制御部２０４は、コンピュータ１０５から受けた指令に基づいて、反応ポート２０９に移載された、サンプル分注プローブ１２によって分注されたサンプルを収容する血液凝固分析用の反応容器２８に対して、血液凝固試薬分注プローブ２０によって血液凝固用の試薬の分注を行う。あるいは、反応容器２６内で混合されたサンプルと血液凝固分析用の第１試薬との混合液である前処理液を、血液凝固試薬分注プローブ２０によって空の血液凝固分析用の反応容器２８に対して分注する。この場合、その後前処理液を収容する反応容器２８に対して、血液凝固分析用の第２試薬の分注を行う。ここで、血液凝固分析用の試薬は第１試薬ディスク１５、第２試薬ディスク１６に配置されており、第１試薬分注プローブ１７、第２試薬分注プローブ１４によって、必要に応じて反応ディスク１３上の反応容器２６に一旦分注されたのち、血液凝固分析に用いられる。
【００２７】
光度計１９で検出され、Ａ／Ｄ変換器（１）２０５によってデジタル信号に変換された反応容器２６内の反応液の透過光または散乱光の測光値、およびＡ/Ｄ変換器（２）２０３によってデジタル信号に変換された使い捨ての血液凝固分析用の反応容器２８内の反応液の透過光または散乱光の測光値は、コンピュータ１０５に取り込まれる。
【００２８】
インターフェース１０１には、測定結果をレポート等として出力する際に印字するためのプリンタ１０６、記憶装置である記憶部１０４や外部出力メディア１０２、操作指令等を入力するためのキーボードなどの入力装置１０７、画面表示するための表示装置１０３が接続されている。表示装置１０３には、例えば液晶ディスプレイやＣＲＴディスプレイ等がある。
【００２９】
この自動分析装置１による生化学項目および免疫学項目の分析は、次の手順で行われる。まず、操作者はキーボード等の入力装置１０７を用いて各サンプルに対し検査項目を依頼する。依頼された検査項目についてサンプルを分析するために、サンプル分注プローブ１２は分析パラメータに従ってサンプル容器２７から生化学/免疫学分析用の反応容器２６へ所定量のサンプルを分注する。
【００３０】
サンプルが分注された反応容器２６は、反応ディスク１３の回転によって移送され、試薬受け入れ位置に停止する。第１試薬分注プローブ１７、第２試薬分注プローブ１４のピペットノズルは、該当する検査項目の分析パラメータにしたがって、反応容器２６に所定量の試薬液を分注する。サンプルと試薬の分注順序は、上記の説明とは逆に、サンプルより試薬が先であってもよい。
【００３１】
その後、図示しない攪拌機構により、サンプルと試薬との攪拌が行われ、混合される。この反応容器２６が、測光位置を横切る時、光度計１９により反応液の透過光または散乱光が測光される。測光された透過光または散乱光は、Ａ／Ｄ変換器（１）２０５により光量に比例した数値のデータに変換され、インターフェース１０１を経由して、コンピュータ１０５に取り込まれる。
【００３２】
この変換され、取り込まれた数値を用い、検査項目毎に指定された分析法により予め測定しておいた検量線に基づき、濃度データが算出される。各検査項目の分析結果としての成分濃度データは、プリンタ１０６や表示装置１０３の画面、更には外部出力メディア１０２に出力される。
【００３３】
以上の測定動作が実行される前に、操作者は、分析に必要な種々のパラメータの設定や試薬およびサンプルの登録を、表示装置１０３の操作画面を介して行う。また、操作者は、測定後の分析結果を表示装置１０３上の操作画面により確認する。
【００３４】
また、自動分析装置１のＩＳＥ測定ユニット３によるＩＳＥ測定項目の分析は、主に次の手順で行われる。まず、操作者はキーボード等の入力装置１０７を用いて各サンプルに対し検査項目を依頼する。依頼された検査項目についてサンプルを分析するために、サンプル分注プローブ１２は分析パラメータに従ってサンプル容器２７からＩＳＥ測定ユニット３へ所定量のサンプルを分注する。
【００３５】
サンプルが分注されたＩＳＥ測定ユニット３は、依頼された検査項目についてＩＳＥ測定ユニット３内で分析を実施する。その分析結果は数値のデータに変換され、ＩＳＥユニット制御部２０８、インターフェース１０１を経由して、コンピュータ１０５に取り込まれる。
【００３６】
この変換された数値を用い、検査項目毎に指定された分析法により予め測定しておいた検量線に基づき、コンピュータ１０５が濃度データを算出する。各検査項目の分析結果としての成分濃度データは、プリンタ１０６や表示装置１０３の画面等に出力される。
【００３７】
以上の測定動作が実行される前に、操作者は、分析に必要な種々のパラメータの設定を、表示装置１０３の操作画面を介して行う。また、操作者は、測定後の分析結果を表示装置１０３上の操作画面により確認する。
【００３８】
また、自動分析装置１の血液凝固時間検出部２１による血液凝固時間項目の分析は、主に次の手順で行われる。まず、操作者はキーボード等の情報入力装置１０７を用いて各サンプルに対し検査項目を依頼する。依頼された検査項目についてサンプルを分析するために、反応容器移送機構２３は使い捨ての血液凝固分析用の反応容器２８を反応容器マガジン２５からサンプル分注ポジション１８へ移送する。サンプル分注プローブ１２は分析パラメータに従ってサンプル容器２７から血液凝固分析用の反応容器２８へ所定量のサンプルを分注する。
【００３９】
サンプルが分注された血液凝固分析用の反応容器２８は、反応容器移送機構２３によって血液凝固時間検出部２１の反応ポート２０９へ移送され、所定の温度へ昇温される。第１試薬分注プローブ１７は、該当する検査項目の分析パラメータにしたがって、反応ディスク１３上の反応容器２６に所定量の試薬液を分注する。反応ディスク１３には、図示しない恒温槽が設けられているため、反応容器２６に分注された試薬液は３７℃に温められる。
【００４０】
その後、血液凝固分注機構は反応容器２６に分注されている試薬を吸引し、血液凝固試薬分注プローブ２０内で、図示しない昇温機構により所定の温度に昇温した後、血液凝固分析用の反応容器２８に吐出する。試薬が吐出された時点から、血液凝固分析用の反応容器２８に照射された光の透過光または散乱光の測光が開始される。光度計１９で測光された透過光または散乱光は、Ａ／Ｄ変換器（２）２０３により光量に比例した数値のデータに変換され、インターフェース１０１を経由して、コンピュータ１０５に取り込まれる。
【００４１】
この変換された数値を用い、血液凝固反応に要した時間（以下、単に血液凝固時間ということがある）を求める。例えば、ＡＴＰＰ（活性化部分トロンボプラスチン時間）等の検査項目については、このようにして求めた血液凝固時間を分析結果として出力する。ここで、Ｆｂｇ（フィブリノーゲン）等の検査項目については、求めた血液凝固時間に対して、さらに、検査項目毎に指定された分析法により予め測定しておいた検量線に基づき、成分濃度のデータを求めて分析結果として出力する。各検査項目の分析結果としての血液凝固時間や成分濃度のデータは、プリンタ１０６や表示装置１０３の画面に出力される。
【００４２】
ここで、上記の測定動作が実行される前に、操作者は、分析に必要な種々のパラメータの設定や試薬、サンプルの登録を、表示装置１０３の操作画面を介して予め行う。また、操作者は、測定後の分析結果を表示装置１０３上の操作画面により確認することができる。
【００４３】
また、サンプル分注プローブ１２によって吐出されるサンプルの吐出先は反応容器２６であってもよい。この場合、上述したように予め反応容器２６内で前処理液と反応させたのちに、血液凝固分注プローブ２３によって、血液凝固分析用の反応容器２８に分注することもできる。
【００４４】
血液凝固分注プローブ２０では、先に血液凝固分析用の反応容器２８に収容されているサンプルに対して、試薬が吐出されたときの勢いによって、血液凝固分析用の反応容器２８内におけるサンプルとの混合を行う、吐出攪拌と呼ばれる撹拌を行う。サンプルと試薬の分注順序は、この例とは逆に、サンプルより試薬の方が先であってもよく、この場合はサンプルが吐出されたときの勢いによって、試薬との混合を行うことができる。
【００４５】
ここで、吐出攪拌では確実な攪拌を実行するために血液凝固試薬分注プローブ２０の先端の位置の反応容器に対する位置精度を高く保つことが重要であり、その位置調整には特に注意を要する。
【実施例１】
【００４６】
実施例１は、複数の測定種類の分析項目を分析可能な自動分析装置であって、検体を収容する検体容器を保持するサンプルディスクと、検体容器から試料を分注する試料分注機構と、試薬を収容する試薬容器を保持する試薬ディスクと、試薬容器から試薬を分注する試薬分注機構と、測定種類の分析を行う測定ユニットと、測定ユニットを制御する制御部と、測定ユニットの測定種類の情報を入力する入力装置と、入力装置からの入力された測定種類の情報を組み合わせ、任意の設定情報に紐付けした情報を保持する記憶部と、紐付けした情報に基づき、測定種類の情報を表示および操作可能にする表示装置と、を備える構成の自動分析装置の実施例である。【００４７】
図２は、本実施例の複数の測定種類の情報を組み合わせて、任意の設定情報である検査モード名に紐付けるため記憶部１０４内に記憶するテーブルの一例を示す図である。同図において、テーブル２１０は検査モードデータベースの一つとして記憶部１０４の所定領域に記憶される。同図にみるように、テーブル２１０には、“生化学＿免疫測定”、”特定検査”、“人間ドックモード”などの任意に設定した検査モード名２１１に対応し、各検査モード名に対応して実行される生化学検査項目、免疫学検査項目、ＩＳＥ検査項目、血液凝固検査項目などの検査項目２１２の操作レベルを記憶し、検査モード名２１１と各検査項目２１２の操作レベルを合わせて、紐付けして格納する。テーブル２１０で、テーブル内の数値０は操作、表示不可、数値１は操作レベル１、数値２は操作レベル２、数値３は操作レベル３を示している。このように、本実施例で用いられるテーブルは、設定情報に紐付けした情報として、各測定種類に対する操作のレベルを示す操作レベル情報を記憶する。そして、これらの情報をテーブル２１０から引き出す時には、検査モード名２１１をキーにして各検査項目の操作レベルを確認し、以下順次説明するように画面表示や操作権限を変更することができる。【００４８】
図３は本実施例の自動分析装置で、生化学検査項目と免疫学検査項目に関するオペレーションなどのルーチン操作に関する情報について、操作権限および情報表示を“生化学＿免疫測定”という検査モード名に許可する場合の画面の一例である。なお図３に示す測定種類の組み合わせは一例であり、これらに限定しない。【００４９】
検査モード作成画面３０１において、３０２は作成する検査モード名称を入力する箇所であり、ここでは“生化学＿免疫測定”が入力されている。３０３は生化学検査項目に関する情報の操作可否を設定する設定箇所である。３０４は免疫検査項目に関する情報の操作可否を設定する設定箇所である。３０５はＩＳＥ検査項目に関する情報の操作可否を設定する設定箇所である。３０６は血液凝固検査項目に関する情報の操作可否を設定する設定箇所である。３０７は上記設定を記憶部１０４の図２に説明したようなテーブルに入力するための登録ボタンである。３０８は上記設定を記憶部１０４内のテーブルに反映せず、検査モード作成画面３０１を閉じるための取り消しボタンである。ユーザは、登録ボタン３０７、或いは取り消しボタン３０８により、登録或いは取り消しを行うことができる。【００５０】
図４は本実施例の自動分析装置で、ユーザが任意に設定して登録した検査モードを選択して適用することができる選択画面の一例である。検査モード選択画面４０１には、検査モードを適用する“Ｏｐｅｒａｔｏｒ＿０１”というユーザＩＤの選択箇所４０２と、選択したユーザＩＤに適用する検査モードの選択箇所４０３が表示される。ここでは、図３で作成した検査モード“生化学＿免疫測定”の設定を適用している。これによりＯｐｅｒａｔｏｒ＿０１は生化学検査項目および免疫学検査項目に関する情報のみ操作可能になり、ＩＳＥ項目と血液凝固検査項目の情報は操作できなくなる。【００５１】
選択画面４０１には、更に検査モード選択画面４０１にて設定した内容を記憶部１０４のテーブル２１０に格納し、自動分析装置１に適用するための適用ボタン４０４と、記憶部１０４のテーブルに設定内容を反映せず、検査モード選択画面４０１を閉じるための取り消しボタン４０５が表示される。【００５２】
これにより、任意の複数の測定種類の情報を組み合わせ、任意に設定する設定情報である検査モード名に紐付けし、その設定情報を表示装置の検査モードの操作画面上に反映することができる。また、入力装置からの入力された測定種類の情報を組み合わせ、任意の設定情報である検査モード名に紐付けした情報を記憶部のテーブルに保持し、表示装置は紐付けした情報に基づき、測定種類の情報を表示および操作可能にし、且つ紐付けした情報をユーザごとに選定可能にすることができる。【００５３】
続いて図５Ａ、図５Ｂを用いて、本実施例の自動分析装置における分析項目選択画面、試薬管理画面の具体例を説明する。図５Ａに、図３および図４で設定した内容をマスク表示で反映した分析項目選択画面５０１を、図５Ｂに、図３および図４で設定した内容をマスク表示で反映した試薬管理画面５０２を示した。【００５４】
上述したように、検査モード作成画面３０１により、任意の名称を付けた検査モードを作成する。この時、どの測定種類の分析項目情報を操作、表示するかを分析項目選択画面５０１で設定する。図３では、検査モード“生化学＿免疫測定”として、生化学検査項目と免疫学検査項目の２つの測定種類の分析が操作可能な検査モードを作成した。これにより検査モード“生化学＿免疫測定”を適用したオペレータＩＤは、生化学検査項目および免疫学検査項目に関する情報のみ操作可能になり、ＩＳＥ項目と血液凝固検査項目の情報は操作できなくなる。【００５５】
図５Ａの分析項目画面５０１には生化学検査項目、免疫学検査項目、ＩＳＥ項目、血液凝固検査項目の全ての測定種類の詳細検査項目が表示されているが、ＩＳＥ項目（Ｎａ、Ｋ、Ｃｌ）および血液凝固検査項目（ＰＴ，ＡＰＴＴ、Ｆｂｇ、Ｄ−Ｄｉｍｅｒ）はマスク（灰色）表示となっており、選択することができない。【００５６】
図５Ｂの試薬管理画面５０２は血液凝固検査項目に使用する試薬がマスク（灰色）表示となっており、選択することができない。またテスト数が残っているにも関わらず試薬の状況は“使用不可”となっており、設定した検査モードでは当該試薬が使用不可であることを明確に示している。すなわち、図５Ｂの場合、入力装置からの入力された測定種類の情報を組み合わせ、任意の設定情報に紐付けした情報を記憶部に保持し、表示装置は紐付けされた情報に基づき、測定種類の情報を表示および操作可能にし、紐付けされなかった情報は操作不可であることを明示的に表示する。【００５７】
以上説明した実施例１の自動分析装置による効果を説明する。本実施例によれば、任意の検査モードにより、操作したい測定種類の情報を選択し、オペレータＩＤに紐付けることで複数の測定種類の情報が混在する画面において選択した測定種類の情報のみ操作可能になる。また選択していない測定種類に関する情報はマスク（灰色）表示することにより、操作不可であることを明確に示すことができる。本実施例では選択していない情報をマスク（灰色）表示として、操作不可であることを示したが、操作不可であることを明確に表示する方法はマスク表示（灰色表示）に限らない。例えば、表示画面の色彩より薄く表示し、インアクティブであることを示してもよい。本実施例により、操作可能、不可能な情報を明確に表示装置の操作画面上から確認することができ、ユーザの誤操作のリスクを低減することができる。【００５８】
なお本実施例は分析項目選択画面と試薬管理画面の例を挙げたが、検査モードの適用範囲は自動分析装置において複数の測定種類の情報が混在する全画面であり、特定の画面に限定しない。【００５９】
本実施例の自動分析装置により、表示および操作する測定種類の情報を、任意の設定情報である検査モード毎に設定して紐付けした情報を記憶しておき、この紐付けした情報に基づき装置を制御することにより、記憶した検査モードの測定種類の情報で実行可能な操作および、設定された測定種類の分析のみ実行できることになるので、目的、用途に合わせて操作可能な情報を正確に選定できる。【００６０】
すなわち、ユーザにより測定種類の情報が紐付けおよび組み合わされることにより設定された任意の設定情報である検査モードにより、入力装置から操作可能な情報および表示装置に表示する情報を任意に選定することができる。これにより、複数の測定種類の分析項目を分析可能な自動分析装置において必要な情報のみを表示装置に表示できるようになり、情報の誤読のリスクを低減することができる。また情報の誤操作のリスクも低減することができ、ユーザの利便性が向上する。
【実施例２】
【００６１】
実施例２は、入力装置からの入力された測定種類の情報を組み合わせ、任意の設定情報に紐付けした情報を記憶部に保持し、表示装置は紐付けした情報に基づき、測定種類の情報を表示および操作可能にし、紐付けされなかった情報は非表示にする構成の自動分析装置の実施例である。本実施例では任意の複数の測定種類の情報を組み合わせ、任意に設定する検査モードに紐付けることができ、加えてその設定を操作画面上に明示することできる。【００６２】
図６Ａは図３および図４で設定した内容を表示・非表示で反映した分析項目選択画面６０１の一例、図６Ｂは図３および図４で設定した内容を表示・非表示で反映した試薬管理画面６０２の一例を示す。【００６３】
このように、図３、図４の設定およびその設定を表示・非表として反映することによりＯｐｅｒａｔｏｒ＿０１は生化学検査項目および免疫学検査項目に関する情報のみ表示し、ＩＳＥ項目と血液凝固検査項目の情報は非表示になる。【００６４】
すなわち、図６Ａの分析項目選択画面６０１には図３で選択した生化学検査項目および免疫学検査項目のみが表示されており、ＩＳＥ項目（Ｎａ、Ｋ、Ｃｌ）、血液凝固検査項目（ＰＴ，ＡＰＴＴ、Ｆｂｇ、Ｄ−Ｄｉｍｅｒ）は非表示となっている。図６Ｂの試薬管理画面６０２では血液凝固検査項目に使用する試薬が非表示となっている。非表示にするだけでなく、色分けなどにより、他の測定種類の情報が格納済みであるが検査モードに設定されていないため非表示としていることを明示することにより、非表示となった箇所に分析項目や試薬を登録することができないことを明示する。【００６５】
本実施例によれば、任意の検査モードにより、選択された測定種類の情報のみ操作画面上に表示し、選択されなかった測定情報に関する情報は非表示にすることができる。これにより、マスク（灰色）表示よりも明確にユーザが操作可能な情報を明示することができる。不要な情報が非表示となったことで、ユーザによる誤操作のリスクを低減できることに加えて、操作画面の可読性が向上する。
【実施例３】
【００６６】
実施例３は、入力装置からの入力された測定種類の情報を組み合わせ、任意の設定情報に紐付けした情報を記憶部に保持し、表示装置は紐付け情報に基づき、測定種類の情報を測定種類毎に色彩を変更して表示および操作可能にする構成の自動分析装置の実施例である。【００６７】
本実施例では任意の複数の測定種類の情報を組み合わせ、任意に設定する検査モードに紐付けることができ、加えてその設定内容を操作画面上に色彩により区別し、反映することできる。【００６８】
図７Ａは図３および図４で設定した内容を色彩により区別した分析項目選択画面７０１、図７Ｂは図３および図４で設定した内容を色彩により区別した試薬管理画面７０２を示す。図示の都合上、異なる色彩を網掛けの種類で区別してある。【００６９】
図７Ａの分析項目選択画面７０１では分析項目画面には図３で選択した生化学検査項目および免疫学検査項目のみが表示されている。また生化学検査項目と免疫学検査項目とで異なる色彩で表示されており、登録されている検査項目がどの測定種類の検査項目かを判別することができる。図７Ｂの試薬管理画面７０２も同様に測定種類毎に色彩が異なっており、どの試薬がどの測定種類の項目の試薬かを判別することができる。【００７０】
本実施例によれば、任意の検査モードにより、選択された測定種類の情報を測定種類毎に色彩を分けて表示することにより、どの情報が、どの測定種類に関する情報かを判別し易くなる。測定種類に関する情報の判別が容易になり、ユーザによる誤操作のリスクを低減することができ、さらに可読性の向上に加えて、測定種類毎の情報が判別しやすくなる。
【実施例４】
【００７１】
本実施例は、入力装置からの入力された測定種類と分析項目の情報を組み合わせて設定情報に紐付けした情報を記憶部に保持し、表示装置は紐付けした情報に基づき分析項目の情報を表示および操作可能にする構成の自動分析装置の実施例である。【００７２】
本実施例では任意の複数の測定種類の情報と分析項目との情報を組み合わせ、任意に設定する検査モードに紐付けることができ、任意に選出した特定の測定種類の情報の中でさらに必要な分析項目の情報のみを選定して表示することができる。【００７３】
図８Ａは任意の検査モードで操作、表示を可能にする分析項目を設定する検査モード詳細設定画面８０１を示す。検査モード詳細設定画面８０１の検査モード名設定欄８０２は、検査モード名称を入力する箇所である。分析項目選択箇所８０３は当該検査モードで情報を表示、操作する分析項目を選択する箇所である。分析項目選択箇所８０３のマスク（灰色）表示された分析項目は、選択されなかった項目を示す。登録ボタン８０４は上記設定内容を記憶部１０４に格納するためのボタンである。取消ボタン８０５は設定を記憶部１０４に格納せず、検査モード詳細設定画面８０１を閉じるためのボタンである。図８Ｂは検査モード詳細設定画面８０１の設定を反映した分析項目選択画面８０６を示す。【００７４】
図８Ａの検査モード詳細設定画面８０１では当該検査モードで操作および表示する分析項目を設定する。検査モード詳細設定画面８０１では生化学検査項目のうち“ＴＰ＿１”、“ＡＬＢ＿１”、“ＡＬＰ＿１”および免疫学検査項目のうち“ＰＳＡ”、“ＣＥＡ”のみ表示および操作可能な検査モード“特定検査”を作成している。図８Ｂの分析項目選択画面８０６では、図３で選択した生化学検査項目と免疫学検査項目のうち、検査モード詳細設定画面８０１で設定した項目のみ表示されている。これによりユーザが使用する項目のみ情報を表示および操作することができる。このような分析項目を選択して限定するような特定検査は、例えば先に示した人間ドックモードや、健康診断モード、夜間モードのような検査モードで利用することが可能である。【００７５】
本実施例によれば、任意の検査モードに測定種類だけでなく分析項目の情報を紐付けることにより、特定の測定種類の情報のうち、必要な分析項目の情報のみ表示、操作することができる。またその分析項目は特定の測定種類に限定されず、測定種類を跨いで設定することができるため、組み合わせて分析する頻度の高い分析項目を設定することができる。例えば健康診断などの特定の分析項目のみ分析する場合は、その分析項目を設定すれば他の項目の情報を操作、表示できなくなるため不必要な情報の操作をするリスクが低減する。また、表示する情報を選定することができるため、画面の可読性が向上する。加えて、組み合わせて分析する頻度の高い分析項目を設定することができるため、検査業務を効率化することができる。
【実施例５】
【００７６】
実施例５は、入力装置からの入力された測定種類および分析項目と、自動分析装置の共通機能を組み合わせて設定情報に紐付けして記憶部内のテーブル２１０に保持し、表示装置は紐付けした情報に基づき、共通機能に関する情報を表示および操作可能する自動分析装置の実施例である。【００７７】
本実施例では任意の複数の測定種類の情報を組み合わせ、任意に設定する設定情報の検査モード名に紐付けることができるだけでなく、ルーチン操作やキャリブレーション機能といった自動分析装置の共通機能も測定種類毎に任意に操作の可、不可を設定できる。【００７８】
図９は生化学検査項目と免疫学検査項目に関しては操作レベル３が選択され、ルーチン操作、試薬管理、キャリブレーション、精度管理、ユーティリティ操作の全操作を可能にし、血液凝固検査項目は操作レベル１が選択され、ルーチン操作のみ操作可能にするという権限を“生化学＿免疫測定”という検査モードに設定した画面例を示す。【００７９】
検査モード作成画面９０１の９０２は任意の設定情報としての検査モード名を入力する箇所である。９０３は各測定種類において実施可能な操作の設定箇所、すなわち操作レベル１、２、３を設定するエリアである。本画面上の設定内容を記憶部１０４に格納する場合は、登録ボタン９０４を、設定を記憶部１０４に格納せず、検査モード作成画面９０１を閉じる場合は、取消ボタン９０５を押す。このように本実施例においては、測定種類毎に装置の共通機能を含めて実施可能な操作を付与することができる。なお、検査モード作成画面９０１の実施可能な操作の区切り方は一例であり限定しない。【００８０】
図１０に、検査モード作成画面１００１で作成された検査モード名に対して記憶部１０４に記憶されたテーブルの内容の一例を示している。同図の上段は図２に示したテーブルと同じ内容を示している。同図の下段は、上段のテーブルの各検査項目２１２の詳細検査項目１００１に対応するテーブルの一例を示している。このテーブル２１０内の各詳細検査項目の操作権限は、１が操作、表示可能、０が操作不可を意味している。【００８１】
本実施例の効果を説明すると、測定種別ごとに実施可能な操作を設定することにより、ある特定の測定種類の分析項目に関しては分析パラメータの設定まで実施したいが、別の測定種類に関してはルーチン操作のみ実施したい場合などには、測定種類毎に任意に実施可能な操作を設定することにより、任意の測定種類に関する任意の操作のみが可能になる。このように共通機能を含め、任意の測定種類に関する任意の操作のみが可能になることにより、誤操作のリスクを低減することができることに加え、ユーザの利便性を向上させることができる。
【実施例６】
【００８２】
実施例６は、入力装置からの入力された測定種類と分析項目の情報を組み合わせて設定情報に紐付けして記憶部に保持し、表示装置は紐付けした情報に関する情報を表示して操作可能にし、制御部は紐付けした情報を基に測定ユニットを制御する自動分析装置の実施例である。【００８３】
本実施例では任意の複数の測定種類の情報を組み合わせ、任意に設定する設定情報である検査モード名に紐付けることができ、操作画面に反映することができることに加えて装置の測定ユニットの動作を制限することができる。すなわち、先の実施例により設定した検査モード名の内容を操作画面だけでなく、自動分析装置の動作にも適用する。【００８４】
図３で設定した検査モード名で説明すると、本実施例の構成によれば、制御部は、生化学/免疫検査項目測定ユニットは分析動作を実施するが、ＩＳＥ測定ユニット３および血液凝固測定ユニット２は動作しないよう制御することができる。【００８５】
すなわち、設定により使用しない測定種類の測定ユニットの動作を制限することができる。例えばある測定ユニットについて知識のないユーザが装置を使用しても、設定により当該測定ユニットの機構は動作しないため、装置の安全性が向上する。また、動作しない測定ユニットで使用する消耗品の消費を抑えることができ、ランニングコストを低減することができる。
【実施例７】
【００８６】
本実施例は、上述した実施例の設定を複数モジュール型自動分析装置に適用した実施例を示す。複数モジュール型自動分析装置においても複数種類の情報が自動分析装置内部に格納されているため、表示情報や操作方法に関して複合型自動分析装置と同様の課題が発生する。よって上記実施例が適用可能である。【００８７】
本実施例の効果を説明すると、複数の測定ユニットが接続された複数モジュール型の自動分析装置においても上記実施例と同等の効果を得ることができる。また複数モジュール型自動分析装置は試薬など、測定ユニット独自のパラメータは操作画面上で分離して表示される場合があるが、分析項目選択画面など複数の測定種類の情報が混在して表示されている画面もある。このような画面に対し、検査モードによる情報の選定を実施することで、既に区分けされている画面に加えて、現状情報が混在している操作画面についても情報を区分けすることができ、複数モジュール型自動分析装置の利便性が向上する。【００８８】
なお、本発明は上記した実施例に限定されるものではなく、様々に変形例が含まれる。例えば、上記した実施例は本発明を分かりやすく説明するために詳細に説明したものであり、必ずしも、説明した全ての構成を備えるものに限定されるものではない。また上記例では測定種類に生化学検査項目、免疫検査項目、ＩＳＥ検査項目、血液凝固検査項目を上げているが、これら測定種類に限られない。また上記実施例では複数の測定種類の測定ユニットを有する複合型自動分析装置および複数モジュール型自動分析装置の例を示したが、装置形態は限定しない、例えば、単一の測定種類を測定可能なモジュール型の自動分析装置なども適用範囲とする。また上記実施例では分析項目選択画面と試薬管理画面の例を挙げたが、上記実施例の適用範囲は自動分析装置において複数の測定種類の情報が混在する全画面であり、特定の画面に限定しない。【００８９】
また、ある実施例の構成の一部を他の実施例の構成に加えることも可能である。また、各実施例の一部について、他の構成の追加、削除、置換をすることが可能である。【００９０】
更に、上述した各構成、機能は、それらの一部又は全部を実現するコンピュータのプログラムを作成する例を説明したが、それらの一部又は全部を例えば集積回路で設計する等によりハードウェアで実現しても良いことは言うまでもない。すなわち、自動分析装置の全部または一部の機能は、プログラムに代え、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積回路などにより実現してもよい。
【符号の説明】
【００９１】
１  自動分析装置
２  血液凝固時間分析ユニット
３  ＩＳＥ測定ユニット
１１  サンプルディスク
１２  サンプル分注プローブ
１３  反応ディスク
１４  第２試薬分注プローブ
１５  第１試薬ディスク
１６  第２試薬ディスク
１７  第１試薬分注プローブ
１８  サンプル分注ポジション
１９  光度計
２０  血液凝固試薬分注プローブ
２１  血液凝固時間検出部
２２  光学ジグマガジン
２３  反応容器移送機構
２４  反応容器廃棄口
２５  使い捨て反応容器マガジン
２６  生化学/免疫学分析用の反応容器
２７  サンプル容器
２８  血液凝固分析用の反応容器
１０１  インターフェース
１０２  外部出力メディア
１０３  表示装置
１０４  記憶部
１０５  コンピュータ
１０６  プリンタ
１０７  入力装置
２０１  サンプル分注制御部
２０２  移送機構制御部
２０３  Ａ／Ｄ変換器（２）
２０４  血液凝固試薬分注制御部
２０５  Ａ／Ｄ変換器（１）
２０６  試薬分注制御部（１）
２０７  試薬分注制御部（２）
２０８  ＩＳＥ測定ユニット制御部
２０９  反応ポート
２１０  テーブル
２１１  検査モード名
２１２  検査項目
３０１  検査モード作成画面
３０２  検査モード名入力箇所
３０３  生化学検査項目設定欄
３０４  免疫学検査項目設定欄
３０５  ＩＳＥ検査項目設定欄
３０６  血液凝固検査項目設定欄
３０７、８０４、９０４  登録ボタン
３０８、４０５、８０５，９０５  取消ボタン
４０１  検査モード選択画面
４０２  ユーザＩＤ設定欄
４０３  検査モード設定欄
４０４  適用ボタン
５０１、６０１、７０１、８０６  分析項目選択画面
５０２  試薬管理画面
６０２  試薬管理画面
７０２  試薬管理画面
８０１  検査モード詳細設定画面
８０２、９０２  検査モード名設定欄
８０３  分析項目選択箇所
９０１  検査モード作成画面
９０３  操作レベル設定欄
１００１  詳細検査項目
【図１】
2019021625.tif 000003
【図２】
2019021625.tif 000004
【図３】
2019021625.tif 000005
【図４】
2019021625.tif 000006
【図５Ａ】
2019021625.tif 000007
【図５Ｂ】
2019021625.tif 000008
【図６Ａ】
2019021625.tif 000009
【図６Ｂ】
2019021625.tif 000010
【図７Ａ】
2019021625.tif 000011
【図７Ｂ】
2019021625.tif 000012
【図８Ａ】
2019021625.tif 000013
【図８Ｂ】
2019021625.tif 000014
【図９】
2019021625.tif 000015
【図１０】
2019021625.tif 000016
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
複数の測定種類の分析項目を分析可能な自動分析装置であって、
検体を収容する検体容器を保持するサンプルディスクと、前記検体容器から試料を分注する試料分注機構と、試薬を収容する試薬容器を保持する試薬ディスクと、前記試薬容器から試薬を分注する試薬分注機構と、前記測定種類の分析を行う測定ユニットと、前記測定ユニットを制御する制御部と、前記測定ユニットの測定種類の情報を入力する入力装置と、
前記入力装置からの入力された前記測定種類の情報を組み合わせ、任意の設定情報に紐付けした情報を保持する記憶部と、
前記紐付けした情報に基づき、前記測定種類の情報を表示および操作可能にする表示装置と、を備え、
前記設定情報に紐付けした情報は、前記測定種類に対する操作権限である、
ことを特徴とする自動分析装置。
【請求項２】
請求項１に記載の自動分析装置であって、
前記記憶部は、前記紐付けした情報を蓄積するテーブルを備える、
ことを特徴とする自動分析装置。
【請求項３】
請求項２に記載の自動分析装置であって、
前記テーブルは、前記操作権限として、前記測定種類に対する操作のレベルを示す情報を記憶する、
ことを特徴とする自動分析装置。
【請求項４】
請求項１に記載の自動分析装置であって、
前記入力装置からの入力された測定種類の情報を組み合わせ、任意の設定情報に紐付けした情報を前記記憶部に保持し、
前記表示装置は前記紐付けした情報に基づき、前記測定種類の情報を表示および操作可能にし、且つ前記紐付けした情報をユーザごとに選定可能とする、
ことを特徴とする自動分析装置。
【請求項５】
請求項４に記載の自動分析装置であって、
前記入力装置からの入力された測定種類の情報を組み合わせ、任意の設定情報に紐付けした情報を前記記憶部に保持し、
前記表示装置は前記紐付けした情報に基づき、前記測定種類の情報を表示および操作可能にし、紐付けされなかった情報は操作不可であることを明示する、
ことを特徴とする自動分析装置。
【請求項６】
請求項５に記載の自動分析装置であって、
前記入力装置からの入力された測定種類の情報を組み合わせ、任意の設定情報に紐付けした情報を前記記憶部に保持し、
前記表示装置は前記紐付けした情報に基づき、前記測定種類の情報を表示および操作可能にし、紐付けされなかった情報は非表示にする、
ことを特徴とする自動分析装置。
【請求項７】
請求項６に記載の自動分析装置であって、
前記入力装置からの入力された測定種類の情報を組み合わせ、任意の設定情報に紐付けした情報を前記記憶部に保持し、
前記表示装置は前記紐付け情報に基づき、前記測定種類の情報を測定種類毎に色彩を変更して表示および操作可能にする、
ことを特徴とする自動分析装置。
【請求項８】
請求項７に記載の自動分析装置であって、
前記入力装置からの入力された測定種類と分析項目の情報を組み合わせ、前記設定情報に紐付けした情報を前記記憶部に保持し、
前記表示装置は前記紐付けした情報に基づき、前記分析項目の情報を表示および操作可能にする、
ことを特徴とする自動分析装置。
【請求項９】
請求項８に記載の自動分析装置であって、
前記入力装置からの入力された測定種類および分析項目と、前記自動分析装置の共通機能を組み合わせ、前記設定情報に紐付けした情報を前記記憶部に保持し、前記表示装置は前記紐付けした情報に基づき、前記共通機能に関する情報を表示および操作可能する、
ことを特徴とする自動分析装置。
【請求項１０】
請求項９に記載の自動分析装置であって、
前記入力装置からの入力された測定種類と分析項目の情報を組み合わせ、前記設定情報に紐付けした情報を前記記憶部に保持し、
前記表示装置は前記紐付けした情報に関する情報を表示および操作可能にし、
前記制御部は前記紐付けした情報を基に前記測定ユニットを制御する、
ことを特徴とする自動分析装置。
【国際調査報告】
2019021625.tif 000017
2019021625.tif 000018
2019021625.tif 000019
2019021625.tif 000020